(57)【要約】【課題】電動格納ユニットの支持剛性を高め、動作時の振動や異音の発生などの不具合を適切に防止または抑制することが可能な電動格納式アウタミラーを提供する。【解決手段】ミラーが取付けられるハウジング本体２ａ、およびこのハウジング本体２ａに一部を係合させて組み付けられるハウジングカバー２ｂを有するミラーハウジング２と、このミラーハウジング２内に配され、かつこのミラーハウジング２を車体側のミラーベース５に対して相対変位させるための駆動力を発生させるモータを含む電動格納ユニット３と、を備えている、電動格納式アウタミラーＡであって、電動格納ユニット３とハウジングカバー２ｂとは、締結手段８１，８２を用いて互いに連結されている。【選択図】  図１
2019177723.tif 000002
【特許請求の範囲】
【請求項１】
ミラーが取付けられるハウジング本体、およびこのハウジング本体に一部を係合させて組み付けられるハウジングカバーを有するミラーハウジングと、
このミラーハウジング内に配され、かつこのミラーハウジングを車体側のミラーベースに対して相対変位させるための駆動力を発生させるモータを含む電動格納ユニットと、
を備えている、電動格納式アウタミラーであって、
前記電動格納ユニットと前記ハウジングカバーとは、締結手段を用いて互いに連結されていることを特徴とする、電動格納式アウタミラー。
【請求項２】
請求項１に記載の電動格納式アウタミラーであって、
前記電動格納ユニットの外周側面部に接触して少なくともその一部を覆うように前記電動格納ユニットに取付けられたブラケットを、さらに備えており、
前記電動格納ユニットと前記ハウジングカバーとの前記連結は、前記ブラケットと前記ハウジングカバーとが前記締結手段を用いて締結されることにより図られている、電動格納式アウタミラー。
【発明の詳細な説明】
【技術分野】
【０００１】
本発明は、たとえば自動車の電動格納式ドアミラーなどの電動格納式アウタミラーに関する。
【背景技術】
【０００２】
この種の電動格納式アウタミラーは、一般的には、ミラーが取付けられたミラーハウジング内に、モータを備えた電動格納ユニットが配された構成とされ、前記モータの駆動力を利用して、ミラーハウジングを車体側のミラーベースに対して相対回転させるようにしている。一方、このような電動格納式アウタミラーにおいては、電動格納ユニットの組み付け性、あるいは電動格納式アウタミラーに具備されるターンランプの組み付け性などを考慮し、ミラーハウジングを、ハウジング本体とハウジングカバーとに分割する手段がよく採用される。この場合、ハウジング本体とハウジングカバーとをビスなどの締結部材を用いて連結したのでは、ミラーハウジングの外面に締結部材の一部が露出することとなって、見栄えが悪くなる。そこで、従来においては、ミラーハウジングのハウジング本体とハウジングカバーとの組み付け手段として、それらの内面に、凸状または凹状の係合部を形成し、これら係合部どうしを係合させる手段が採用されている。
【０００３】
しかしながら、従来においては、次に述べるように、改善すべき余地があった。
【０００４】
第１に、従来において、電動格納ユニットは、ミラーハウジングのハウジング本体に取付けられるが、ハウジングカバーとは連結されていない。このため、電動格納ユニットの支持剛性が十分ではなく、電動格納ユニットが不安定な組み付け状態となる場合がある。これでは、モータが駆動して電動格納式アウタミラーが開閉する際に、動作の滑らかさが劣るものとなり、振動や異音が発生する虞がある。
【０００５】
第２に、従来においては、ミラーハウジングのハウジングカバーは、その一部をハウジング本体に係合させることによって、その組み付けを図っているに過ぎない。このため、ハウジングカバーがハウジング本体から外れ易い。その結果、たとえば洗車時において、洗車用回転ブラシがハウジングカバーのエッジに当たった際に、このハウジングカバーが不用意に外れてしまうといった虞があった。
【先行技術文献】
【特許文献】
【０００６】
【特許文献１】特開２０１１−１２１４９３号公報
【特許文献２】特開２０１４−４９２３号公報
【特許文献３】特開２０１３−１１９１号公報
【発明の概要】
【発明が解決しようとする課題】
【０００７】
本発明は、前記したような事情のもとで考え出されたものであり、電動格納ユニットの支持剛性を高め、動作時の振動や異音およびミラー（鏡面）の振動の発生などの不具合を適切に防止または抑制することが可能な電動格納式アウタミラーを提供することを、その課題としている。
【課題を解決するための手段】
【０００８】
上記の課題を解決するため、本発明では、次の技術的手段を講じている。
【０００９】
本発明により提供される電動格納式アウタミラーは、ミラーが取付けられるハウジング本体、およびこのハウジング本体に一部を係合させて組み付けられるハウジングカバーを有するミラーハウジングと、このミラーハウジング内に配され、かつこのミラーハウジングを車体側のミラーベースに対して相対変位させるための駆動力を発生させるモータを含む電動格納ユニットと、を備えている、電動格納式アウタミラーであって、前記電動格納ユニットと前記ハウジングカバーとは、締結手段を用いて互いに連結されていることを特徴としている。
【００１０】
このような構成によれば、次のような効果が得られる。
第１に、電動格納ユニットは、ミラーハウジングのハウジングカバーと締結手段を用いて締結されているため、電動格納ユニットの支持剛性を高め、頑丈かつ安定的な組み付け状態を得ることができる。また、ハウジングカバーの重さが電動格納ユニットに加わった支持状態となるため、ハウジングカバーをウエイトマスとして利用することもできる。このようなことから、モータを駆動させて電動格納式アウタミラーを動作させる際に、その動作を滑らかなものとし、振動や異音の発生を適切に防止または抑制することが可能となる。
第２に、ハウジングカバーは、電動格納ユニットに締結手段を用いて連結されているため、ハウジングカバーがハウジング本体から不用意に外れないようにすることも可能である。たとえば、洗車時において、洗車用回転ブラシがハウジングカバーに強く当たったとしても、このことに原因してハウジングカバーが外れるといったことは適切に解消される。
【００１１】
本発明において、好ましくは、前記電動格納ユニットの外周側面部に接触して少なくともその一部を覆うように前記電動格納ユニットに取付けられたブラケットを、さらに備えており、前記電動格納ユニットと前記ハウジングカバーとの前記連結は、前記ブラケットと前記ハウジングカバーとが前記締結手段を用いて締結されることにより図られている。
【００１２】
このような構成によれば、ブラケットを利用して電動格納ユニットの支持剛性をより高めることができ、またブラケットの重量を電動格納ユニットのウェイトマスとして利用できるために、電動格納式アウタミラーの開閉時の振動や異音の発生などを、より適切に防止または抑制することが可能である。また、このようなことにより、ミラーハウジングのハウジング本体、ひいてはハウジング本体に取付けられるミラー（鏡面）の振動を抑制する効果も得ることが可能となる。
【００１３】
本発明のその他の特徴および利点は、添付図面を参照して以下に行なう発明の実施の形態の説明から、より明らかになるであろう。
【図面の簡単な説明】
【００１４】
【図１】本発明に係る電動格納式アウタミラーの一例を示す概略斜視図である。
【図２】図１に示す電動格納式アウタミラーの要部分解概略斜視図である。
【図３】図１に示す電動格納式アウタミラーの要部概略平面断面図であり、その断面箇所は、図２のIII−IIIに相当する。
【図４】図１に示す電動格納式アウタミラーの要部概略平面断面図であり、その断面箇所は、図２のIV−IVに相当する。
【図５】（ａ），（ｂ）は、図１に示す電動格納式アウタミラーに用いられている電動格納ユニットとこれに取付けられるブラケットを示す斜視図である。
【発明を実施するための形態】
【００１５】
以下、本発明の好ましい実施の形態について、図面を参照して具体的に説明する。
【００１６】
図１に示す電動格納式アウタミラーＡは、車両のサイドドア１に取付けられた電動格納式ドアミラーであり、ミラーハウジング２、このミラーハウジング２に配された電動格納ユニット３（図２を参照）、ブラケット４、およびサイドドア１に固定して取付けられたミラーベース５を備えている。図１において、符号９は、ターンランプである。
【００１７】
図２によく表われているように、ミラーハウジング２は、ミラー（不図示）が取付けられるハウジング本体２ａに、ハウジングカバーロア２ｂ、およびハウジングカバーアッパ２ｃを組み付けることにより構成される。ハウジング本体２ａへのハウジングカバーロア２ｂの組み付けは、ハウジング本体２ａおよびハウジングカバーロア２ｂに設けられた凹状または凸状などの形態の係合部２０ａ，２０ｂを互いに係合させることにより可能である。ハウジング本体２ａへのハウジングカバーアッパ２ｃの組み付けも、前記と同様であり、それらに設けられた凹状または凸状などの形態の係合部２１ａ，２１ｃを互いに係合させることにより可能である。また、ハウジングカバーアッパ２ｃは、ハウジングカバーロア２ｂに対しても組み付けられるが、そのための手段として、これらには係合部２２ｃ，２２ｂが設けられ、かつこれらを互いに係合させる手段が用いられている。
【００１８】
電動格納ユニット３は、ミラーハウジング２をモータの駆動力により、ミラーベース５に対して相対回転させ、電動格納式アウタミラーＡを開閉させるためのものである。この電動格納ユニット３としては、従来既知のものを用いることが可能であるが、その概略の構成は、前記したモータに加え、このモータの駆動力をミラーベース５に相対させてミラーハウジング２を回転させる力とする回転動作機構などを備えており、これらモータや回転動作機構などが、ユニットケース３０内に内蔵されてユニット化された構成である。この電動格納ユニット３は、たとえばビス８０を用いて、ハウジング本体２ａに取付けられている。
【００１９】
ブラケット４は、電動格納ユニット３とハウジングカバーロア２ｂとの締結の容易化などを図るための部材であり、図３〜図５によく表われているように、電動格納ユニット３の外周側面３０ａの形状に対応した湾曲帯状の形態を有しており、ビス止め用の第１および第２の孔部４１，４２を有する。また、強度を確保するための手段として、縦横に延びた複数のリブ４０が外面に形成されている。
このブラケット４は、電動格納ユニット３の外周側面３０ａに接触し、かつこの外周側面３０ａの多くの領域を抱き込むようなかたちに設定された上で、ビス８１および第１の孔部４１、ならびに電動格納ユニット３の孔部３６を利用し、電動格納ユニット３にビス締結されている。
図３によく表われているように、電動格納ユニット３の外周側面３０ａは凹凸状であり、凹部３７や凸部３８が適宜存在する。好ましくは、ブラケット４の内面には、そのような凹部３７や凸部３８に係合する凸部４７や凹部４８が適宜設けられ、電動格納ユニット３とブラケット４とが互いに位置ずれするといったことは徹底して防止されている。
【００２０】
図２に示すように、ハウジングカバーロア２ｂには、ブラケット４の第２の孔部４２に対応するビス止め用の孔部２２が設けられている。このため、ハウジングカバーロア２ｂを、ハウジング本体２ａに組み付けた状態では、第２の孔部４２、孔部２２、およびこれらに挿通するビス８２を利用して、ハウジングカバーロア２ｂはブラケット４にビス締結される。なお、図２に示す状態では、ビス８２の頭部は、ハウジングカバーロア２ｂの外面側に位置するが、このビス８２の頭部は、ハウジング本体２ａにハウジングカバーアッパ２ｃを組み付けた際に、このハウジングカバーアッパ２ｃによって覆い隠される（図４など）。
【００２１】
次に、前記した電動格納ユニット３の作用について説明する。
【００２２】
まず、電動格納ユニット３に取付けられたブラケット４と、ハウジングカバーロア２ｂとは、ビス８２を介して締結されており、電動格納ユニット３は、ブラケット４を介してハウジングカバーロア２ｂに対して強固にビス止め連結されている。ブラケット４は、電動格納ユニット３を強固に保持した状態にあるため、このブラケット４の内側で電動格納ユニット３に遊びが生じるようなこともない。このようなことから、本実施形態においては、電動格納ユニット３の支持剛性を十分に高めることができる。また、ハウジングカバーロア２ｂの重さ、およびブラケット４の重さが、電動格納ユニット３に加わった支持状態となるため、これらをウエイトマスとして利用することもできる。このようなことから、電動格納ユニット３のモータを作動させて電動格納式アウタミラーＡを開閉させる際には、その動作を円滑なものとし、振動や異音が発生しないようにすることが可能である。ミラー（鏡面）の振動なども、防止または抑制する効果が得られる。
【００２３】
ハウジングカバーロア２ｂは、ブラケット４にビス締結されているため、ハウジング本体２ａから不用意に外れないようにすることが可能である。たとえば、洗車時において、洗車用回転ブラシがハウジングカバーロア２ｂに強く当たったとしても、このことに原因してハウジングカバーロア２ｂが容易に外れないようにすることができる。
【００２４】
本発明は、上述した実施形態の内容に限定されない。本発明に係る電動格納ユニットの各部の具体的な構成は、本発明の意図する範囲内において種々に設計変更自在である。
【００２５】
上述の実施形態では、ブラケット４を介して電動格納ユニット３とハウジングカバーロア２ｂとを連結（締結）しているが、本発明はこれに限定されず、たとえば電動格納ユニット３に、ハウジングカバーロア２ｂとのビス締結を図るための孔部を設けるなどして、これら電動格納ユニット３とハウジングカバーロア２ｂとを直接的にビス締結してもよい。ブラケット４を用いる場合、このブラケット４の具体的な形状や材質などは限定されない。
【００２６】
上述の実施形態では、ハウジングカバーが、ハウジングカバーロア２ｂと、ハウジングカバーアッパ２ｃとを備えたものとされ、ハウジングカバーロア２ｂが電動格納ユニット３と連結されているが、本発明はこれに限定されない。ミラーハウジングのハウジング本体やハウジングカバーをどのような構成にするかは、種々の条件に応じて適宜選択できる事項であるため、本発明においては、電動格納ユニットの連結対象となるハウジングカバーが、いずれのハウジングカバーであるを問うものではない。
本発明でいう締結手段は、ビス止めに限らず、たとえばビス以外のネジ部材、あるいはクリップピンなどであってもよい。
本発明の電動格納式アウタミラーは、ドアミラーなどのサイドミラーに限らず、車両の外部に配設される電動格納式のミラー全般を含む概念である。
また、本発明でいう電動格納ユニットは、ミラーハウジングを車体側のミラーベースに対して相対変位させるための駆動力を発生させるモータを含む構成であればよく、その具体的な構成は問わない。
【符号の説明】
【００２７】
Ａ  電動格納式アウタミラー
２  ミラーハウジング
２ａ  ハウジング本体
２ｂ  ハウジングカバーロア（ハウジングカバー）
３  電動格納ユニット
４  ブラケット
５  ミラーベース
８１，８２  ビス（締結手段）
【図１】
2019177723.tif 000003
【図２】
2019177723.tif 000004
【図３】
2019177723.tif 000005
【図４】
2019177723.tif 000006
【図５】
2019177723.tif 000007